(57)【要約】【課題】同時に一台の装置で視聴している視聴者に対し、それぞれの視聴環境に応じて同時に異なる映像が表示されるように制御する手段を備えた３Ｄ映像表示装置、同プログラム及同プログラムを記憶する記録媒体を提供する。【解決手段】シャッター式眼鏡を利用して３Ｄ映像を表示する３Ｄ映像表示装置であって、第一の眼鏡のシャッター開タイミングの複数回に１回の割合で第二の眼鏡では閉タイミングとする手段と、第二の眼鏡のシャッター閉タイミングで第一の眼鏡の利用者にのみ見せるフレームを再生する手段と、視聴者の眼鏡、ヘッドホンその他の周辺機器の利用状況を取得する手段と、取得した前記利用状況に応じて視聴者が利用している眼鏡を前記第一の眼鏡として駆動するか第二の眼鏡として駆動するか制御する手段とを有する３Ｄ映像表示装置、同プログラム及同プログラムを記憶する記録媒体を提供する。【選択図】図１
2013146043.tif 000002
【特許請求の範囲】
【請求項１】
シャッター式眼鏡を利用して３Ｄ映像を表示する３Ｄ映像表示装置であって、
第一の眼鏡のシャッター開タイミングの複数回に１回の割合で第二の眼鏡では閉タイミングとするシャッタータイミング制御部と、
第二の眼鏡のシャッター閉タイミングで第一の眼鏡の利用者にのみ見せるフレームを再生する再生部と、
視聴者の眼鏡、ヘッドホンその他の周辺機器の利用状況を取得する利用状況取得部と、
取得した前記利用状況に応じて視聴者が利用している眼鏡を前記第一の眼鏡として駆動するか第二の眼鏡として駆動するか制御する眼鏡タイプ決定部と、
を有する３Ｄ映像表示装置。
【請求項２】
シャッタータイミング制御部は、前記複数回に１回の割合として、３回に１回の割合で閉タイミングとする１／３タイミング制御手段を有する請求項１に記載の３Ｄ映像表示装置。
【請求項３】
前記再生部は、第一の眼鏡の利用者にのみ見せるフレームとして、字幕付きフレームを再生する字幕フレーム再生手段を有する請求項１又は２に記載の３Ｄ映像表示装置。
【請求項４】
前記再生部は、第一の眼鏡の利用者にのみ見せるフレームとして、左目用フレームと右目用フレームとを交互に再生する交互再生手段を有する請求項１から３のいずれか一に記載の３Ｄ映像表示装置。
【請求項５】
利用状況取得部は、
視聴者が利用する眼鏡を、第一の眼鏡として利用するか、第二の眼鏡として利用するかの入力を受付ける眼鏡タイプ選択入力手段を有する請求項１から４のいずれか一に記載の３Ｄ映像表示装置。
【請求項６】
複数の眼鏡の利用者の中で少なくとも一部の異なる映像を表示する場合に、その映像を取得する映像取得部と、
いずれかの眼鏡の左目用又は右目用のシャッター開タイミングが他のいずれかの眼鏡の左目用又は右目用のシャッター開タイミングと重ならないように制御する第二制御部と、
前記重ならないように制御される眼鏡の利用者には前記異なる映像を再生する第二再生部と、
利用される制御部と再生部を選択する選択部と、
をさらに有する請求項１から５のいずれか一に記載の３Ｄ映像表示装置。
【請求項７】
制御ルールとして、複数の眼鏡の利用者に視聴させる映像が、一方がインフォメーション映像なしの映像、他方がインフォメーション映像ありの画像である場合に、第二制御部及び第二再生部を選択するよう定めるルールを保持する前記制御ルール保持部を有する請求項６に記載の３Ｄ映像表示装置。
【請求項８】
コンピュータに、
視聴者の眼鏡、ヘッドホンその他の周辺機器の利用状況を取得する利用状況取得ステップと、
取得した前記利用状況に応じて視聴者が利用している眼鏡を前記第一の眼鏡として駆動するか第二の眼鏡として駆動するか制御する眼鏡タイプ決定ステップと、
第一の眼鏡のシャッター開タイミングの複数回に１回の割合で第二の眼鏡では閉タイミングとするシャッタータイミング制御ステップと、
第二の眼鏡のシャッター閉タイミングで第一の眼鏡の利用者にのみ見せるフレームを再生する再生ステップと
を実行させるためのプログラム。
【請求項９】
請求項８に記載のプログラムを記憶した記録媒体。
【発明の詳細な説明】
【技術分野】
【０００１】
本発明は、３Ｄ映像表示装置に関し、特に、複数の視聴者の視聴環境を同時に個人単位で最適化することができる３Ｄ映像表示装置に関する。
【背景技術】
【０００２】
近年、液晶テレビをはじめとするテレビは大型化（大画面化）、３Ｄ化が進んでいる。またテレビの大型化に伴い、一台のテレビを複数の者が一緒に見る機会も増えており、その際に個人ごとに求められる視聴環境が異なることが考えられる。例えば、同じ外国映画を一緒に見る場合でも、ある者は、主音声（日本語吹替え）で視聴したいのに対し、別の者は副音声（英語などの原語）で視聴したいといったことが考えられる。
【０００３】
これに対応するため、３Ｄ映像表示技術を利用して、視聴者ごとに異なる視聴環境で視聴できるようにするための技術も開示されている。例えば、特許文献１には、スピーカでは主音声が再生され、ヘッドホンでは副音声が再生されるようにし、ヘッドホンからの指示に基づいてテレビの音声出力を切り替えることが可能なテレビ受像機が開示されている（特許文献１参照）。
【先行技術文献】
【特許文献】
【０００４】
【特許文献１】特開２００９−３３９８５６号公報
【発明の概要】
【発明が解決しようとする課題】
【０００５】
しかしながら、特許文献１に記載の発明のように、単に音声出力を切り替えるだけでは視聴者のニーズに十分対応しきれない場合がある。例えば、一台のテレビで同じ外国映画を複数の者が見る場合に、副音声（英語）で視聴したい者は、同時に画面に日本語の字幕を表示したいという場合が考えられるが、主音声（日本語吹替え）で視聴したい者にとっては日本語の字幕は必要でないばかりか、かえって視聴の邪魔になる場合も考えられる。
【０００６】
そこで、本発明が解決すべき課題は、同時に一台の装置で視聴している視聴者に対し、それぞれの視聴環境に応じて同時に異なる映像が表示されるように制御する手段を備えた３Ｄ映像表示装置、同プログラム及び同プログラムを記憶した記録媒体を提供することにある。具体的には、例えば、外国映画（原語が英語）を視聴しているときに、主音声（日本語吹替え）で視聴している者に対しては日本語の字幕なしの映像を表示し、副音声（英語）で視聴している者に対しては日本語の字幕付きの映像を表示するといったように表示を制御することができる３Ｄ映像表示装置、かかる制御を実行するためのプログラム、及びかかるプログラムを記憶する記録媒体を提供することにある。
【課題を解決するための手段】
【０００７】
以上の課題を解決するため、本発明は、３Ｄ眼鏡を利用して映像の表示の制御を行うこととしている。即ち、本発明のうち、第一の発明は、シャッター式眼鏡を利用して３Ｄ映像を表示する３Ｄ映像表示装置であって、第一の眼鏡のシャッター開タイミングの複数回に１回の割合で第二の眼鏡では閉タイミングとするシャッタータイミング制御部と、第二の眼鏡のシャッター閉タイミングで第一の眼鏡の利用者にのみ見せるフレームを再生する再生部と、視聴者の眼鏡、ヘッドホンその他の周辺機器の利用状況を取得する利用状況取得部と、取得した前記利用状況に応じて視聴者が利用している眼鏡を前記第一の眼鏡として駆動するか第二の眼鏡として駆動するか制御する眼鏡タイプ決定部とを有する３Ｄ映像表示装置を提供する。
また、第二の発明は、第一の発明を基礎として、シャッタータイミング制御部は、前記複数回に１回の割合として、３回に１回の割合で閉タイミングとする１／３タイミング制御手段を有する３Ｄ映像表示装置を提供する。
また、第三の発明は、第一又は第二の発明を基礎として、前記再生部は、第一の眼鏡の利用者にのみ見せるフレームとして、字幕付きフレームを再生する字幕フレーム再生手段を有する３Ｄ映像表示装置を提供する。
また、第四の発明は、第一から第三のいずれか一の発明を基礎として、前記再生部は、第一の眼鏡の利用者にのみ見せるフレームとして、左目用フレームと右目用フレームとを交互に再生する交互再生手段を有する３Ｄ映像表示装置を提供する。
また、第五の発明は、第一から第四のいずれか一の発明を基礎として、利用状況取得部は、視聴者が利用する眼鏡を、第一の眼鏡として利用するか、第二の眼鏡として利用するかの入力を受付ける眼鏡タイプ選択入力手段を有する３Ｄ映像表示装置を提供する。
また、第六の発明は、第一から第五のいずれ一の発明を基礎として、複数の眼鏡の利用者の中で少なくとも一部の異なる映像を表示する場合に、その映像を取得する映像取得部と、いずれかの眼鏡の左目用又は右目用のシャッター開タイミングが他のいずれかの眼鏡の左目用又は右目用のシャッター開タイミングと重ならないように制御する第二制御部と、前記重ならないように制御される眼鏡の利用者には前記異なる映像を再生する第二再生部と、利用される制御部と再生部を選択する選択部とをさらに有する３Ｄ映像表示装置を提供する。
また、第七の発明は、第六の発明を基礎として、制御ルールとして、複数の眼鏡の利用者に視聴させる映像が、一方がインフォメーション映像なしの映像、他方がインフォメーション映像ありの画像である場合に、第二制御部及び第二再生部を選択するよう定めるルールを保持する前記制御ルール保持部を有する３Ｄ映像表示装置を提供する。
また、第八の発明は、コンピュータに、視聴者の眼鏡、ヘッドホンその他の周辺機器の利用状況を取得する利用状況取得ステップと、取得した前記利用状況に応じて視聴者が利用している眼鏡を前記第一の眼鏡として駆動するか第二の眼鏡として駆動するか制御する眼鏡タイプ決定ステップと、第一の眼鏡のシャッター開タイミングの複数回に１回の割合で第二の眼鏡では閉タイミングとするシャッタータイミング制御ステップと、第二の眼鏡のシャッター閉タイミングで第一の眼鏡の利用者にのみ見せるフレームを再生する再生ステップとを実行させるためのプログラムを提供する。
また、第九の発明は、第八の発明に係るプログラムを記憶した記録媒体を提供する。
【発明の効果】
【０００８】
本発明により、同時に一台の装置で視聴している視聴者に対し、それぞれの視聴環境に応じて同時に異なる映像が表示されるように制御する手段を備えた３Ｄ映像表示装置、かかる制御を実行するためのプログラム、及びかかるプログラムを記憶する記録媒体を提供することが可能となる。
【図面の簡単な説明】
【０００９】
【図１】本発明の３Ｄ映像表示装置の概要を説明するための図
【図２】実施例１の３Ｄ映像表示装置の機能ブロックの一例を示す図
【図３】実施例１の３Ｄ映像表示装置の機能ブロックの一例を示す図
【図４】実施例１における第一の眼鏡と第二の眼鏡の開閉タイミング及びフレームの再生要領の一例を示す図
【図５】実施例１の再生方法による輝度向上について説明するための図
【図６】実施例１の３Ｄ映像表示装置の機能ブロックの一例を示す図
【図７】実施例１の３Ｄ映像表示装置のハードウェア構成の一例を示す概略図
【図８】実施例１の３Ｄ映像表示装置における処理の流れの一例を示す図
【図９】実施例２の３Ｄ映像表示装置の機能ブロックの一例を示す図
【図１０】実施例２の３Ｄ映像表示装置における処理の流れの一例を示す図
【図１１】実施例３の３Ｄ映像表示装置の機能ブロックの一例を示す図
【図１２】実施例３における第一の眼鏡と第二の眼鏡の開閉タイミング及びフレームの再生要領の一例を示す図
【図１３】実施例３の３Ｄ映像表示装置のハードウェア構成の一例を示す概略図
【図１４】実施例３の３Ｄ映像表示装置における処理の流れの一例を示す図
【符号の説明】
【００１０】
０１００、０２００    ３Ｄ映像表示装置
０１０１    第一の眼鏡
０１０２    第二の眼鏡
０１０３、０１０４    ヘッドホン
０１０５    字幕付きの映像（第一の眼鏡を装着した視聴者に見える映像）
０１０６    字幕なしの映像（第二の眼鏡を装着した視聴者に見える映像）
０２１０    シャッタータイミング制御部
０２２０    再生部
０２３０    利用状況取得部
０２４０    眼鏡タイプ決定部
【発明を実施するための形態】
【００１１】
以下に、本発明の実施例を説明する。実施例と特許請求の範囲の請求項の相互の関係については、実施例１は主に請求項１、２、３、４、８、９などに関し、実施例２は主に請求項５などに関し、実施例３は主に請求項６、７などに関する。なお、本発明はこれら実施例に何ら限定されるものではなく、その要旨を逸脱しない範囲において、種々なる態様で実施しうる。
【実施例１】
【００１２】
<概要>
本実施例の３Ｄ映像表示装置は、シャッター式眼鏡を利用して３Ｄ映像を表示する３Ｄ映像表示装置であって、第一の眼鏡のシャッター開タイミングの複数回に１回の割合で第二の眼鏡では閉タイミングとする手段と、第二の眼鏡のシャッター閉タイミングで第一の眼鏡の利用者にのみ見せるフレームを再生する手段と、視聴者の眼鏡、ヘッドホンその他の周辺機器の利用状況を取得する手段と、取得した利用状況に応じて視聴者が利用している眼鏡を第一の眼鏡として駆動するか第二の眼鏡として駆動するか制御する手段とを有するものである。
【００１３】
図１は、本発明の３Ｄ映像表示装置の概要を説明するための図であって、本発明に係る３Ｄ映像表示装置０１００を利用して二人の視聴者が外国映画（原語が英語）を視聴している状況を示す。左の視聴者は第一の眼鏡０１０１を装着して、ヘッドホン０１０３から副音声（英語）を出力して視聴している者である。第一の眼鏡に対しては、後述する構成によって、字幕付きフレームを見せるための処理が行われて、この者は字幕付きの映像を見ることができる。本図において、上の吹出し内には、第一の眼鏡の左目用、右目用としてシャッターの開閉に同期させて再生される各６フレーム、計１２フレームが上から時系列順に示されている。黒で示したフレームはシャッターが閉となるタイミングを示す。シャッターが開となるタイミングで再生されるフレームには、字幕付きのフレーム（左目用の上から３つめ、右目用の一番下）と字幕なしのフレーム（それ以外）が含まれている。これらは一瞬のうちに再生される（例えば１／１２０秒ごとにフレームが切り替わる）ので、残像効果により、第一の眼鏡を装着した視聴者には字幕付きの映像０１０５（ただし、画面はやや暗くなる）が見えることになる。一方、右の視聴者は第二の眼鏡０１０２を装着して、ヘッドホン０１０４から主音声（日本語吹替え）を出力して視聴している者である。第二の眼鏡に対しては、やはり後述する構成によって、字幕なしフレームを見せるための処理が行われて、この者は字幕なしの映像を見ることができる。即ち、本図において上の吹出し内に示されているフレームが第一の眼鏡について説明したのと同じ要領で再生されるが、シャッターが開となるタイミングで再生されるフレームには、字幕なしのフレームのみが含まれているため、第二の眼鏡を装着した視聴者には、字幕なしの映像０１０６（画面は字幕付きの映像よりもさらに暗くなる）が見えることになる。
【００１４】
<構成>
図２は、本実施例の３Ｄ映像表示装置の機能ブロックの一例を示す図である。本件発明の構成要素である各部は、ハードウェア、ソフトウェア、ハードウェアとソフトウェアの両者、のいずれかによって構成される。たとえば、これらを実現する一例として、コンピュータを利用する場合には、ＣＰＵ、メモリ、バス、インターフェイス、周辺機器などから構成されるハードウェアと、これらのハードウェア上にて実行可能なソフトウェアを挙げることができる。具体的には、メモリ上に展開されたプログラムを順次実行することで、メモリ上のデータや、インターフェイスを介して入力されるデータの加工、蓄積、出力などにより各部の機能が実現される。
同図に示すように、本実施例の３Ｄ映像表示装置０２００は、シャッタータイミング制御部０２１０と、再生部０２２０と、利用状況取得部０２３０と、眼鏡タイプ決定部０２４０とを有する。本発明における「３Ｄ映像表示装置」は、３Ｄ（Ｔｈｒｅｅ−Ｄｉｍｅｎｓｉｏｎａｌ）映像を表示する装置のうち、シャッター式眼鏡を利用して当該映像を表示する装置をいう。
以下、構成要件ごとに説明する。
【００１５】
（シャッタータイミング制御部）
「シャッタータイミング制御部」は、第一の眼鏡のシャッター開タイミングの複数回に１回の割合で第二の眼鏡では閉タイミングとするように構成されている。
「第一の眼鏡」と「第二の眼鏡」は、いずれも３Ｄシャッター式眼鏡であるが、異なる視聴環境に対応するために二種類設けられているものである。例えば、第一の眼鏡は字幕付きの映像で視聴したい者に装着させるための眼鏡とし、第二の眼鏡は字幕なしの映像で視聴したい者に装着させるための眼鏡とするといった形で両者が使い分けられる。
３Ｄシャッター式眼鏡は、映像を立体的に見るための眼鏡であり、右目用の映像フレームと左目用の映像フレームを超高速で切り替えて再生し、それと同期させて左右それぞれの視界を交互に遮蔽することで視差を生み出し、これにより映像の立体感が得られるようにするための眼鏡である。このため、左右の視界を交互に遮蔽するためのアクティブシャッターとして、独立して開閉が可能な左目用のシャッターと右目用のシャッターを備える。本発明では、一台の３Ｄ映像表示装置で表示する映像を同時に複数の者が視聴する場合に、３Ｄシャッター式眼鏡のシャッターの開閉タイミングと再生を同期させるとともに、その際に両方の視聴者に見せるフレームと一方の視聴者のみに見せるフレームを設けることで、同時に異なる映像が表示されるように制御するようにしている。
【００１６】
（１／３タイミング制御手段）
本実施例における「第一の眼鏡のシャッター開タイミングの複数回に１回の割合で第二の眼鏡では閉タイミングとするよう」構成の好適例として、シャッタータイミング制御部が「１／３タイミング制御手段」を有するものが挙げられる。
図３は、本実施例の３Ｄ映像表示装置の機能ブロックの別の一例を示す図であって、シャッタータイミング制御部０３１０が１／３タイミング制御手段０３１１を有する例を示す。「１／３タイミング制御手段」は、上記「複数回に１回の割合」として、「３回に１回の割合」で閉タイミングとするように構成されている。
【００１７】
図４は、本実施例における第一の眼鏡と第二の眼鏡の開閉タイミング及びフレームの再生要領の一例を示す図である。本図を用いて、まず第一の眼鏡と第二の眼鏡の開閉タイミングについて説明する。本図は、上述の１／３タイミング制御手段によって制御がなされている例であって、第一の眼鏡の左目用シャッターの開タイミングの３回に１回の割合で第二の眼鏡の左目用シャッターが閉タイミングとなるように制御されるとともに、第一の眼鏡の右目用のシャッターと第二の眼鏡の右目用のシャッターについても同様の関係となるように制御されることを示したものである。横軸（ｔ）は時間経過を示し、ｔ１、ｔ２・・・の順に一定時間ごと（例えば１／１２０秒ごと）にシャッターが開閉を繰り返していく状態が示されている。
本図において、まず左目用シャッターの開閉タイミングについて説明すると、第一の眼鏡ではｔ１、ｔ３、ｔ５のタイミングでシャッターが開タイミングとなる。第二の眼鏡ではこのうちのｔ１、ｔ５のタイミングでは開タイミングとなり、ｔ３のタイミングでは閉タイミングとなる。つまり、この例では「第一の眼鏡のシャッター開タイミングの複数回」とは、ｔ１、ｔ３、ｔ５の３回であり、「そのうちの１回の割合」であるｔ３のタイミングで「第二の眼鏡で閉タイミングとする」ように構成されていることになる。
次に、右目用シャッターの開閉タイミングについても、第一の眼鏡の開タイミング（ｔ２、ｔ４、ｔ６）のうち、ｔ６のタイミングで第二の眼鏡で閉タイミングとなるので、同様に、第一の眼鏡のシャッター開タイミングの３回に１回の割合で第二の眼鏡で閉タイミングとするように構成されていることになる。
【００１８】
（再生部）
「再生部」は、第二の眼鏡のシャッター閉タイミングで第一の眼鏡の利用者にのみ見せるフレームを再生するように構成されている。以下、再生部の具体的構成について同じく図４を用いて説明する。本図では、第一の眼鏡の利用者にのみ見せるフレームが「字幕付き」フレームである例で説明する。これは、第一の眼鏡の装着者に映画などを「字幕付き」映像で視聴させ、第二の眼鏡の装着者に「字幕なし」映像で視聴させるための構成である。
まず、左目用シャッターに関して説明すると、第一の眼鏡の左目用シャッターの開タイミングのうち、第二の眼鏡の左目用シャッターの開タイミングであるｔ１、ｔ５のタイミングでは字幕なしフレーム０４０１、０４０３を再生する。これに対し、第一の眼鏡の左目用シャッターの開タイミングのうち、第二の眼鏡の左目用シャッターの閉タイミングであるｔ３のタイミングでは字幕付きフレーム０４０２を再生する。つまり、上で述べた再生部の構成要件に即していうと、「第二の眼鏡のシャッター閉タイミング」であるｔ３のタイミングで、「第一の眼鏡の利用者にのみ見せるフレーム」である「字幕付き」フレームを再生するということになる。
【００１９】
このようにすることで、第一の眼鏡の左目用としては、ｔ１、ｔ５のタイミングで「字幕なし」フレームが表示され、ｔ３のタイミングで「字幕付き」フレームが表示されるので、残像効果により、視聴者には全体として「字幕付き」映像が見えることになる。この場合、字幕の切り替わりの頻度よりもシャッターの開閉頻度の方がはるかに多いので、見えない字幕が生じることはない。一方、第一の眼鏡でシャッターが開のタイミングに表示されるフレームは字幕付きフレーム１に対し字幕なしフレーム２の割合であるので、通常の２Ｄ表示に比べて字幕がうすくなるが、字幕は注視するものでなく字が読めればいいものなのでフレーム数が減少してもそれ程影響は出ない。
一方、第二の眼鏡を装着している視聴者には、ｔ１、ｔ５のタイミングで「字幕なし」フレームが見えるだけであり、ｔ３のタイミングで再生される「字幕付き」フレームはシャッターが閉じていて見えないので、全体として「字幕なし」映像が見えることになる。
【００２０】
（輝度の向上）
ところで、シャッター式眼鏡を用いた３Ｄ映像表示の場合、シャッターが一定間隔で開閉を繰り返すため、視聴者に見える画面の輝度が低下するという問題があるが、本実施例によって上のような開閉タイミングとすることで、この問題も改善することができる。以下、この点について従来技術と比較しつつ説明する。
【００２１】
図５は、本実施例の再生方法による輝度向上について説明するための図である。このうち、（ａ）は従来の再生方法について説明するためのものである。従来の方法では、第一の眼鏡で見せるためのフレームと、第二の眼鏡で見せるためのフレームを交互に再生するようにしていたので、第一の眼鏡の装着者に字幕付き映像を視聴させ、第二の眼鏡の装着者に字幕なし映像を視聴させようとする場合には、左目用、右目用それぞれについて字幕付きフレームと字幕なしフレームを交互に再生し、第一の眼鏡では両方のフレームの再生のタイミングでシャッターを開とし、第二の眼鏡では字幕なしフレームの再生のタイミングでのみシャッターを開とするという方法を用いることになる。
そうすると、本図に示すように、左目用シャッターと右目用シャッターが交互に開閉される結果、第一の眼鏡では、左目用シャッターが開となる時間（ｔ１、ｔ３）が全体（ｔ１〜４）に占める比率は１／２となり、視聴者に見える画面の輝度は、通常の２Ｄ表示の場合の輝度を１００％とした場合（以下同じ）の５０％となる。右目用シャッターの輝度も同様に５０％となる。また、第二の眼鏡では、左目用シャッターが開となる時間（ｔ１）が全体（ｔ１〜４）に占める比率は１／４となり、視聴者に見える画面の輝度は２５％となる。右目用シャッターの輝度も同様に２５％となる。
【００２２】
これに対し（ｂ）に示す本実施例の再生方法では、第一の眼鏡の左目用シャッターが開となるタイミングは、ｔ１〜６のうちｔ１、ｔ３、ｔ５であり、全体に示す開時間の比率は１／２となる。この結果画面の輝度は５０％となる。同様に、第一の眼鏡の右目用シャッターの開時間も１／２となり、画面の輝度は５０％となる。第二の眼鏡については、左目用シャッターが開となるタイミングは、ｔ１〜６のうちｔ１、ｔ４であり、全体に示す開時間の比率は１／３となる。この結果画面の輝度は約３３％となる。同様に、右目用シャッターの開時間も１／３となり、画面の輝度は約３３％となる。
従って、本実施例の再生方法によれば、第一の眼鏡で見える画面の輝度は従来と同様であるが、第二の眼鏡で見える画面の輝度は従来よりも向上することになる。
なお、本実施例では、図４におけるｔ１、ｔ２の処理のように、処理開始時点におけるシャッターの開閉及びフレーム再生を第一の眼鏡と第二の眼鏡で共通化するようにしている。そこで、図示は省略するが、例えば、二つの眼鏡を用いて立体度の弱い映像と立体度の強い映像を異なる視聴者に同時に見せるといった場合（この場合には、立体度無しのフレームを共通に見せつつ、立体度弱、立体度強のフレームを一方の視聴者にのみ見せるようにシャッターの開閉及び再生を行うことになる）と比較しても、やはり輝度の項上の効果が得られるとともに、かかる共通動作によって処理を簡易に行えるようにできるという効果も得られる。
【００２３】
（交互再生手段）
再生部は、交互再生手段を有していてもよい。
図６は、本実施例の３Ｄ映像表示装置の機能ブロックの別の一例であって、再生部０６２０が交互再生手段０６２１を有する例を示す。「交互再生手段」は、第一の眼鏡の利用者にのみ見せるフレームとして、左目用フレームと右目用フレームとを交互に再生するように構成されている。図３に示したものもこのように構成されている例であって、第一の眼鏡の利用者にのみ見せるフレームとして、ｔ３で再生される左目用フレームと、ｔ６で再生される右目用フレームとが交互に再生される。さらに、図示を省略したがｔ７〜１２にあたるタイミングでの再生要領はｔ１〜ｔ６の繰返しであり、その後も同様であるから、本図に示すタイミング以後も、ｔ９で左目用フレームが再生され、ｔ１２で右目用フレームが再生されるといった具合に左目用フレームと右目用フレームとが交互に再生されることになる。
このような交互再生の目的は、一方の目だけに連続して字幕付きフレームなどが見えると、視聴者が違和感や疲れを覚えたりするおそれがあることから、これを回避し、左右の目に均等にかかるフレームを見せることにある。
【００２４】
（利用状況取得部）
「利用状況取得部」は、視聴者の眼鏡、ヘッドホンその他の周辺機器の利用状況を取得するように構成されている。これは、次に説明する眼鏡タイプ決定部とともに、ヘッドホンなどの利用状況（例えば主音声を出力させているか副音声を出力させているか）と眼鏡の駆動の仕方（例えば字幕付き映像を見せるように駆動するか字幕なし映像を見せるように駆動するか）を連動させるための構成である。
【００２５】
周辺機器としては、上に例示したもの（なお、ヘッドホンにはワイヤヘッドホンとワイヤレスヘッドホンの双方が含まれ得る）のほか、例えばスピーカが考えられる。スピーカを利用する場合は、ヘッドホンとの併用が考えられる。その場合、スピーカから主音声を出力し、ヘッドホンから副音声を出力する（またはその逆のパターン）というように、両者を使い分けるパターンが考えられる。また、スピーカを消音としてヘッドホンのみを利用する場合は、例えばヘッドホンが主音声を出力するか副音声を出力するかを切り替えられるようになっており、各視聴者がいずれか任意の出力方法を選択するものが考えられる。
【００２６】
周辺機器の利用状況の取得の一例をワイヤレスヘッドホンの例で説明する。例えば、複数（ここでは二人とする）の視聴者がそれぞれシャッター式眼鏡とヘッドホンを装着して一台のテレビを見ているとする。このうちある視聴者（視聴者Ａとする）はヘッドホンから主音声（日本語吹替え）を出力させており、もう一人の視聴者（視聴者Ｂとする）はヘッドホンから副音声（英語）を出力させているとする。このような出力は、テレビから無線通信によりヘッドホンに対して主音声及び副音声に係る音声情報が送信され、ヘッドホンがこれを受信し、視聴者によるスイッチ操作によって選択された出力を行う形で行われる。このとき、各ヘッドホンは、識別子によってそれぞれを一意的に識別することが可能となっている（視聴者Ａが使用するヘッドホンをヘッドホンａ、視聴者Ｂが使用するヘッドホンをヘッドホンｂとする）。各ヘッドホンは、主音声・副音声のうちのいずれを選択して利用しているかを示す情報（利用状況情報）を識別子と関連づけて３Ｄ映像表示装置に対し送信する。これを利用状況取得部が受信することで、利用状況の取得が行われる。この結果、利用状況取得部は複数の視聴者に対応した複数のヘッドホンからの利用状況を、どのヘッドホンがどちらの出力を行っているかを識別できる形で取得することになる。本例では、利用状況として、ヘッドホンａは主音声を出力させており、ヘッドホンｂは副音声を出力させているという情報が取得される。
【００２７】
（眼鏡タイプ決定部）
「眼鏡タイプ決定部」は、取得した前記利用状況に応じて視聴者が利用している眼鏡を前記第一の眼鏡として駆動するか第二の眼鏡として駆動するか制御するように構成されている。
利用状況取得部の説明で用いた例に即すと、視聴者Ａのヘッドホンａの利用状況が「主音声を出力」というものである場合、視聴者Ａは字幕なし映像で見たいという視聴者であると考える。そこで、眼鏡タイプ決定部は、視聴者Ａが利用している眼鏡を字幕なし映像に対応する眼鏡である第二の眼鏡として駆動するように制御する。また、視聴者Ｂのヘッドホンｂの利用状況が「副音声を出力」というものである場合、視聴者Ｂは字幕付き映像で見たいという視聴者であると考える。そこで、眼鏡タイプ決定部は、その視聴者が利用している眼鏡を字幕付き映像に対応する眼鏡である第一の眼鏡として駆動するように制御する。
【００２８】
具体的な制御方法としては、例えば、眼鏡タイプ決定部は予め利用状況と眼鏡を対応付けたテーブル（利用状況・眼鏡対応テーブル）を保持しており、当該テーブルを参照して、取得した利用状況に対応付けられている眼鏡として駆動するように制御する。例えば、当該テーブルにおいて「主音声出力」と「第二の眼鏡」が対応付けられ、「副音声」と「第一の眼鏡」が対応付けられている場合に、視聴者Ａに係るヘッドホンａについて取得した利用状況が「主音声出力」であれば視聴者Ａが装着している眼鏡を「第二の眼鏡」として駆動するように制御する。
この場合、上述のシャッタータイミング制御部及び再生部の構成に従い、第一の眼鏡のシャッター開タイミングの複数回に１回の割合で現れる第二の眼鏡の閉タイミングのときに、第一の眼鏡の利用者にのみ見せるフレームが再生される。つまり、ここで再生されるフレームは、第一の眼鏡の装着者だけに見せて第二の眼鏡の装着者には見せないフレームである。上記テーブルに従った場合、外国映画（原語が英語）の場合に、副音声（英語）の視聴者のみに見せるフレームとして字幕付きフレームが再生されることとなる。
【００２９】
なお、上のテーブルにおいては、利用状況と眼鏡の対応付けとして、「主音声出力」と「第二の眼鏡」が対応付けられ、「副音声」と「第一の眼鏡」が対応付けられている場合を示したが、これは、通例、主音声（日本語吹替え）で視聴する者は字幕を必要とせず、副音声（英語）で視聴する者は字幕を必要とすると考えられることに基づいている。従って、視聴者が特にこれと異なる対応付けを好む場合に、そのように設定するための周辺機器の操作入力などを受け付け、かかるテーブルは用いないで、眼鏡のタイプを決定し、これに対する制御を行うようにしてもよい。かかる構成については別の実施例にて後述する。
【００３０】
（ハードウェア構成）
次に、本実施例の３Ｄ映像表示装置のハードウェア構成について説明する。
図７は、本実施例の３Ｄ映像表示装置のハードウェア構成の一例を示す概略図である。本図に示すように、本実施例の３Ｄ映像表示装置のシャッタータイミング制御部と、再生部と、利用状況取得部と、眼鏡タイプ決定部は、記憶装置０７０１と、メインメモリ０７０２と、ＣＰＵ０７０３と、Ｉ／Ｏ０７０４とから構成される。また、本実施例の３Ｄ映像表示装置には、Ｉ／Ｏを介してディスプレイ０７０５、スピーカ（図示を省略）などの出力装置のほか、シャッター眼鏡０７０６、ヘッドホン０７０７その他の周辺機器が接続されている。シャッター眼鏡は、既述のように、視界を遮るためのアクティブシャッターを備え、これを３Ｄ映像表示装置からの制御によってフレームの再生と同期させて開閉することが可能なものであり、複数の視聴者に同時に異なる映像を見せることを可能にするために利用されるものである。ヘッドホンには、３Ｄ映像表示装置から出力された音声信号を視聴者の耳に近接したスピーカから可聴音に変換して出力する機能を備えた通常のヘッドホンが広く含まれ、そのタイプは問わない。従って、ワイヤヘッドホンであってもワイヤレスヘッドホンであってもよく、また、イヤホンタイプのものであってもよい。
これらはシステムバス０７０９などのデータ通信経路によって相互に接続され、情報の送受信や処理を行う。また、記憶装置はＣＰＵによって実行される各種プログラムなどを記憶している。またメインメモリは、プログラムがＣＰＵによって実行される際の作業領域であるワーク領域を提供する。また、このメインメモリや記憶装置にはそれぞれ複数のメモリアドレスが割り当てられており、ＣＰＵで実行されるプログラムは、そのメモリアドレスを特定しアクセスすることで相互にデータのやりとりを行い、処理を行うことが可能になっている。本例では、シャッタータイミング制御プログラムと、再生プログラムと、利用状況取得プログラムと、眼鏡タイプ決定プログラムが記憶装置に記憶されており、これらのプログラムは例えば電源投入とともに自動的に記憶装置から読み出されてメインメモリに常駐する。
【００３１】
次に、各部のハードウェア構成について説明する。
まず、利用状況取得部に係る構成について説明する。利用状況取得プログラムは、視聴者の周辺機器の利用状況を取得する。具体的には、例えば周辺機器がワイヤレスヘッドホンの場合に、それぞれの視聴者のヘッドホンが主音声出力を行っているか、副音声出力利用しているかの情報を取得する。この取得に際しては、例えば、各ヘッドホンから主音声・副音声のうちのいずれを選択して利用しているかを示す情報（利用状況情報）を、各ヘッドホンを一意的に識別するための識別子と関連づけて送信し、利用状況取得プログラムが、これをＩ／Ｏを介して受信し、メインメモリに格納するようにすればよい。
【００３２】
次に、眼鏡タイプ決定部に係る構成について説明する。眼鏡タイプ決定プログラムは、メインメモリに格納されている前記利用状況情報を読み出すとともに、予め記憶装置に記憶されている眼鏡タイプ決定部は予め利用状況と眼鏡を対応付けたテーブル（利用状況・眼鏡対応テーブル）もメインメモリに読み出す。そして、当該テーブルを参照して、利用状況情報が示す利用状況に対応付けられている眼鏡として駆動するように制御する。例えば、当該テーブルにおいて「主音声出力」と「第二の眼鏡」が対応付けられ、「副音声」と「第一の眼鏡」が対応付けられている場合に、視聴者Ａに係るヘッドホンａについて取得した利用状況が「主音声出力」であれば視聴者Ａが装着している眼鏡を「第二の眼鏡」として駆動するように制御する。
【００３３】
次に、シャッタータイミング制御部に係る構成について説明する。シャッタータイミング制御プログラムは、第一の眼鏡のシャッター開タイミングの複数回に１回の割合で第二の眼鏡では閉タイミングとするように制御を行う。このため、まず、どの眼鏡が第一の眼鏡であり、どの眼鏡が第二の眼鏡であるかを知る必要がある。これは、例えば、眼鏡タイプ決定プログラムが「第一の眼鏡」とし駆動すると決定した眼鏡に対応付けられている利用状況（副音声出力）を取得した場合に、これに関連付けられているヘッドホンの識別子を取得し、当該識別子に係るヘッドホンを装着している視聴者が装着している眼鏡を第一の眼鏡として特定するようにすればよい。ヘッドホンと眼鏡の関連付けを知るためには、例えばヘッドホンと眼鏡の間に無線通信手段を設け、ヘッドホンが自らの識別子を眼鏡に送信し、眼鏡が当該受信した識別子と自らの識別子を関連づけて３Ｄ映像表示装置に対して出力し、これを３Ｄ映像表示装置が取得するようにすればよい。これにより、シャッタータイミング制御プログラムは、利用状況（副音声出力）に関連付けられているヘッドホンの識別子を取得し、当該ヘッドホンの識別子に関連付けられている眼鏡の識別子を取得して、当該識別子に係る眼鏡を第一の眼鏡と特定することができる。そして、シャッタータイミング制御プログラムは、例えば図２に示したようなタイミングでそれぞれのシャッターの開閉を行うように制御するための制御命令を生成して、これに従ってＣＰＵにシャッターの開閉動作を実行させる。
【００３４】
次に、再生部に係る構成について説明する。再生プログラムは、例えば図３に示したような再生要領（再生パターン）でフレームの再生を行う。このため、記憶装置には予め再生要領を定めたルール（再生ルール）が記憶されている。そこで、再生プログラムは、このルールに従って、シャッターの開閉のタイミングとフレームの再生のタイミングを同期させて再生を行う。同期を確保するための方法としては、例えば、シャッターの開閉のタイミングが１／１２０秒ごとであるというように予め決まっているので、各再生用フレームと再生時間（再生開始からの時間であっても、再生時刻であってもよい）とを関連付けておき、そのタイミングで再生するようにすればよい。特に、本実施例の再生プログラムは、第二の眼鏡のシャッター閉タイミングで第一の眼鏡の利用者にのみ見せるフレームを再生する点に特徴があるが、図３の例に即せば、ｔ３のタイミングで、第一の眼鏡の利用者にのみ見せるフレームである「字幕付き」フレームを再生するため、当該フレームと、例えば再生時間「再生開始後２／１２０秒から３／１２０秒までの間」とを関連付けておくことで、第一の眼鏡ではシャッターが開状態、第二の眼鏡ではシャッターが閉状態で「字幕付き」フレームを再生することができ、これにより第一の眼鏡の視聴者（副音声で視聴している者）にのみこれを見せることができる。
【００３５】
<処理の流れ>
図８は、本実施例の３Ｄ映像表示装置における処理の流れの一例を示す図である。同図に示すように、本実施例における処理の流れは、以下のステップを有する。
まず、コンテンツが主音声と副音声の両方を出力するコンテンツ（いわゆる副音声ありのコンテンツ）かどうかの判断ステップＳ０８０１において、３Ｄ映像表示装置は、表示されるコンテンツが主音声と副音声の両方を出力するコンテンツであるか否かを判断する。その結果、Ｙｅｓとの判断結果が得られた場合、周辺機器の利用状況の取得ステップＳ０８０２において、３Ｄ映像表示装置は、周辺機器（例えばヘッドホン）の利用状況を取得する。
【００３６】
次に、眼鏡タイプの決定ステップＳ０８０３にて、３Ｄ映像表示装置は、取得した利用状況に応じて視聴者が利用している眼鏡を第一の眼鏡として駆動するか第二の眼鏡として駆動するか制御する処理を行うが、このステップは、以下のサブステップを有する。
まず、利用状況・眼鏡対応テーブルの読出しサブステップＳ０８０４において、３Ｄ映像表示装置は、予め記憶装置に記憶されている利用状況と眼鏡を対応付けたテーブル（利用状況・眼鏡対応テーブル）を読み出す。
次に、利用状況が第一の眼鏡に対応するか第二の眼鏡に対応するかの判断サブステップＳ０８０５において、３Ｄ映像表示装置は、ステップＳ０８０２にて取得した利用状況について、サブステップＳ０８０４にて読み出したテーブルを参照して当該判断を行う。その結果、利用状況が第一の眼鏡に対応すると判断された場合、周辺機器の識別子の取得サブステップＳ０８０６において、３Ｄ映像表示装置は、当該利用状況（副音声出力）に対応付けられた周辺機器（ヘッドホン）の識別子を取得する。次に、第一の眼鏡としての特定サブステップＳ０８０７において、３Ｄ映像表示装置は、取得した周辺機器（ヘッドホン）の識別子に関連付けられた眼鏡の識別子を取得し、当該識別子で識別される眼鏡を第一の眼鏡として特定する。なお、周辺機器の識別子に眼鏡の識別子を関連付けるための方法は上で述べたとおりである。
【００３７】
一方、前記判断サブステップＳ０８０５において、利用状況が第二の眼鏡に対応すると判断された場合には、周辺機器の識別子の取得サブステップＳ０８０８に進み、３Ｄ映像表示装置は、当該利用状況（主音声出力）に対応付けられた周辺機器（ヘッドホン）の識別子を取得する。そして、第二の眼鏡の特定サブステップＳ０８０９において、３Ｄ映像表示装置は、取得した周辺機器（ヘッドホン）の識別子に関連付けられた眼鏡の識別子を取得し、当該識別子で識別される眼鏡を第二の眼鏡として特定する。
【００３８】
眼鏡タイプの決定ステップＳ０８０３においてサブステップＳ０８０４〜Ｓ０８０７の処理がなされた場合には、次に第一の眼鏡に係るシャッタータイミング制御ステップＳ０８１０において、３Ｄ映像表示装置は、第一の眼鏡に対するシャッタータイミング制御を行う。そして次に、再生ステップＳ０８１１において、３Ｄ映像表示装置は、第一の眼鏡で見せるためのフレームの再生を行う。
一方、眼鏡タイプの決定ステップＳ０８０３においてサブステップＳ０８０４、Ｓ０８０５、Ｓ０８０８、Ｓ０８０９の処理がなされた場合には、次に第二の眼鏡に係るシャッタータイミング制御ステップＳ０８１２において、３Ｄ映像表示装置は、第二の眼鏡に対するシャッタータイミング制御を行う。そして次に、再生ステップＳ０８１３において、３Ｄ映像表示装置は、第二の眼鏡で見せるためのフレームの再生を行う。
なお、本図では、まず利用状況の取得及び眼鏡タイプの決定がなされた後に、シャッタータイミングの制御及び再生がなされるように記載したが、実際には、利用状況の取得、眼鏡タイプの決定からシャッタータイミングの制御、再生に係る処理はほぼ同時並行的になされる。
【００３９】
<効果>
本実施例の３Ｄ映像表示装置により、ヘッドホンなどから出力される音声に対応して異なる映像が表示されるように制御する手段を備えた３Ｄ映像表示装置、かかる制御を実行するためのプログラム、及びかかるプログラムを記憶する記録媒体を提供することが可能となる。
【実施例２】
【００４０】
<概要>
本実施例の３Ｄ映像表示装置は、基本的に実施例１の装置と共通するが、利用状況取得部は、視聴者が利用する眼鏡を、第一の眼鏡として利用するか、第二の眼鏡として利用するかの入力を受け付ける手段を有する点に特徴を有するものである。即ち、本実施例では、例えば字幕付き映像、字幕なし映像のどちらを視聴するための眼鏡とするかを視聴者が切替えできるようにしたものである。
【００４１】
<構成>
図９は、本実施例の３Ｄ映像表示装置の機能ブロックの一例を示す図である。本図に示すように、本実施例の３Ｄ映像表示装置は、実施例１の３Ｄ映像表示装置と基本的に共通する。ただし、本実施例の３Ｄ映像表示装置０９００の利用状況取得部０９３０は、眼鏡タイプ選択入力手段０９３１を有する。以下、眼鏡タイプ選択入力手段に係る構成について説明する。その余の構成は、実施例１の３Ｄ映像表示装置と同様であるから、説明を省略する。
【００４２】
（利用状況取得部：眼鏡タイプ選択入力手段）
「眼鏡タイプ選択入力手段」は、視聴者が利用する眼鏡を、第一の眼鏡として利用するか、第二の眼鏡として利用するかの入力を受け付けるように構成されている。
この入力の受付けに係る具体的構成としては、例えば、眼鏡に切替え用のスイッチを設けておき、これに対する視聴者による操作入力を受け付けるようにすることが考えられる。あるいは、リモコンに第一の眼鏡・第二の眼鏡の選択用ボタンを設けておき、視聴者によるリモコン操作入力を受け付けるようにしてもよい。この場合には、リモコンからの入力信号をテレビが受付け、これに基づいてテレビから眼鏡に対し眼鏡の切替え制御のための制御命令を送信して切り替えるように構成される。
【００４３】
本実施例の目的は、利用状況と眼鏡の対応付けとして独自の対応付けを好む視聴者のニーズに対応することにある。利用状況と眼鏡の対応付けとして通例想定されるのは、主音声（日本語吹替え）と字幕なし映像、副音声（英語）と字幕付き映像であるが、なかには、老人などが音声を聞きづらいとの理由などで主音声を出力しつつ字幕も見たいといった場合や、逆に英語に堪能なので、副音声出力だけで十分であり、字幕はかえって邪魔であると感じる場合も考えられる。このような場合、本実施例の構成によりどちらの眼鏡として利用するかを視聴者が任意に選択できるようにしておけば、視聴者は、利用状況と眼鏡の組合せを自由に選択できることになり、このようなニーズに応えることができる。
従って、この場合、眼鏡タイプ決定部は、眼鏡タイプ選択入力手段が受け付けた入力にも応じて視聴者が利用している眼鏡を前記第一の眼鏡として駆動するか第二の眼鏡として駆動するか制御する手段を有していることが望ましい。
【００４４】
なお、本実施例の構成を利用して、眼鏡の選択を切り替えるだけで眼鏡とヘッドホンの両方を切り替えることができるようにして視聴者の利便を増すことも可能となる。例えば、それまでヘッドホンで副音声（英語）を出力し、字幕付き映像で外国映画を視聴していた視聴者が、その後に引き続いて放映される韓国ドラマを主音声（日本語吹替え）、字幕なし映像で引き続き視聴したい場合、一つの方法としては、ヘッドホンの切替えスイッチを副音声出力から主音声出力に切り替えるという方法が考えられる。この場合、実施例１で説明した例のように、利用状況取得部が取得したヘッドホンに係る利用状況に応じて眼鏡タイプ決定部が第一の眼鏡として駆動するか第二の眼鏡として駆動するかを制御するようにすれば、ヘッドホンの切替えを行うだけで自動的に眼鏡も切り替えることが可能となる。
【００４５】
これに対し、本実施例の構成を利用して、眼鏡にも切替えスイッチ設けるとともに、眼鏡の選択とヘッドホンの利用状況を予め対応付けておけば、視聴者が眼鏡のスイッチを第一の眼鏡から第二の眼鏡に切り替えるだけで、自動的にヘッドホンからの出力も副音声から主音声に切り替えることが可能となる。これにより、視聴者がヘッドホン、眼鏡のうちどちらか任意の一方を操作すればすむので、切替えに関する視聴者の利便性が増すことになる。
【００４６】
（ハードウェア構成）
本実施例の３Ｄ映像表示装置のハードウェア構成は、図７で示した実施例１の３Ｄ映像表示装置のハードウェア構成と基本的に同様であるから図示を省略する。ただし、本実施例の３Ｄ映像表示装置においては、眼鏡タイプ選択入力プログラムが展開され、当該プログラムが眼鏡の選択に係る処理を実行する。具体的には、視聴者による眼鏡やリモコンに設けられている切替えスイッチの操作入力がなされた場合、眼鏡タイプ選択入力プログラムは、Ｉ／Ｏを介して当該入力を受け付ける。さらに、眼鏡タイプ決定プログラムが、当該入力に従って、眼鏡の選択を行う。その際、眼鏡タイプ決定プログラムは、入力を受け付けた眼鏡の識別子を取得することで、例えば第一の眼鏡として利用するとの入力を受け付けた場合に、どの眼鏡に対して第一の眼鏡として駆動する制御を行えばよいかを知ることが可能となる。
【００４７】
この場合、眼鏡タイプ決定プログラムは、予め記憶装置に記憶されている利用状況・眼鏡対応テーブルを参照してこの決定処理を行う点は実施例１と共通である。ただし、実施例１では、周辺機器の利用状況とテーブルから眼鏡のタイプを決した（特に、一例として、ヘッドホンの利用状況とテーブルから眼鏡のタイプを決定した）のに対し、本実施例では、このうち特に眼鏡の利用状況とテーブルから眼鏡のタイプを判断する点に特徴があると言える。その余の構成は、実施例１の３Ｄ映像表示装置のハードウェア構成と同様であるから説明を省略する。
【００４８】
<処理の流れ>
図１０は、本実施例の３Ｄ映像表示装置における処理の流れの一例を示す図である。本実施例の３Ｄ映像表示装置における処理の流れは、基本的に実施例１において図８に示した処理の流れと共通する。ただし、図８に示した処理の流れとは、以下の点が異なる。
利用状況の取得ステップＳ１００２は、視聴者が利用する眼鏡を第一の眼鏡として利用するか、第二の眼鏡として利用するかの入力の受付けサブステップＳ１００３を有する。当該サブステップにおいて、３Ｄ映像表示装置は、視聴者による眼鏡やリモコンに対する操作入力に基づいて、かかる入力を受け付ける処理を行う。
【００４９】
次に、眼鏡タイプの決定ステップＳ１００４において、３Ｄ映像表示装置は、前記サブステップＳ１００３にて受け付けた入力が、第一の眼鏡として利用するものであるのか、第二の眼鏡として利用するものであるのかの判断を行う（サブステップＳ１００５）。この結果、第一の眼鏡として利用するものであるとの判断結果が得られた場合には、周辺機器（眼鏡）の識別子の取得サブステップＳ１００６において、３Ｄ映像表示装置は、上記の入力受付けに係る眼鏡の識別子を取得する。そして、第一の眼鏡としての特定サブステップＳ１００７において、３Ｄ映像表示装置は、取得した周辺機器（眼鏡）の識別子に関連付けられた眼鏡を第一の眼鏡として特定する。
一方、前記サブステップＳ１００５において、第二の眼鏡として利用するものであるとの判断結果が得られた場合には、周辺機器（眼鏡）の識別子の取得サブステップＳ１００８に進み、３Ｄ映像表示装置は、上記の入力受付けに係る眼鏡の識別子を取得する。この場合には、当該識別子で特定される眼鏡で第二の眼鏡として利用するとの入力が受け付けられているので、第二の眼鏡としての特定サブステップＳ１００９において、３Ｄ映像表示装置は、取得した周辺機器（眼鏡）の識別子に関連付けられた眼鏡を第二の眼鏡として特定する。
その余の処理の流れは、実施例１における処理の流れと同様であるので、説明を省略する。
【００５０】
<効果>
本実施例の３Ｄ映像表示装置により、３Ｄ映像表示装置において、データ放送画面を表示せずに番組を視聴しているときや外部入力データを視聴しているときに別のチャンネルに係るデータ放送で緊急速報が送信された場合でも、これを含むデータ放送画面を直ちに表示することができる３Ｄ映像表示装置、かかる制御を実行するためのプログラム、及びかかるプログラムを記憶する記録媒体を提供することが可能となる。
【実施例３】
【００５１】
<概要>
本実施例の３Ｄ映像表示装置は、基本的に実施例１又は２の装置と共通するが、一方の眼鏡の左目用又は右目用のシャッター開タイミングと他方の眼鏡のそれが重ならないように制御して映像を再生することが選択できるようにするための手段をさらに付加したものである。実施例１、２の装置では一方の眼鏡の利用者にのみ見せるフレームとして主に字幕付きフレームのようにコンテンツ映像と重ねて表示しても差支えがないものを想定しているのに対し、本実施例では主にメニュー画面などのインフォメーション映像を想定している。インフォメーション映像はコンテンツ映像と重ねて表示すると見えづらいことが考えられるので、重ねて表示するか重ねないで表示するかを選択できるようにした点に本実施例の装置の特徴がある。
【００５２】
<構成>
図１１は、本実施例の３Ｄ映像表示装置の機能ブロックの一例を示す図である。本実施例の３Ｄ映像表示装置は、実施例１又は２の３Ｄ映像表示装置と基本的に共通する。ただし、本実施例の３Ｄ映像表示装置１１００は、映像取得部と、制御ルール保持部１１６０と、判断部１１７０と、選択部１１８０と、第二制御部１１９０と、第二再生部１１９１とをさらに有する。以下では、はじめに本実施例の装置全体の目的について説明した後、上記各部に係る構成について順次説明する。その余の構成は、実施例１又は２の３Ｄ映像表示装置と同様であるから、説明を省略する。
【００５３】
コンテンツの映像を表示中に、利用者が、インフォメーション映像などを見たいと思う場合があり得る。ここで「インフォメーション映像」とは、表示映像に重畳して表示されるＥＰＧ、ＯＳＤ、おすすめ情報などの映像のことをいう。こうした映像は表示中のコンテンツの映像内容からは独立した情報を示す映像であるため、これを見たいと思うタイミングは利用者毎にまちまちであると考えられる。つまりこれらの映像は、利用者によるリモコン操作などをトリガーとして判断される利用者が見たいタイミングにおいて、その利用者だけのために表示すればよいものである。
このようなインフォメーション映像などを少なくとも一部に含む映像を画面に表示する場合、実施例１、２で説明したような構成に従って、例えば字幕付きフレームを表示するタイミングでこれに代えてインフォメーション映像を表示させるようにすることも可能である。しかしこの方法の場合、あたかも字幕付き映像と字幕なし映像がほぼ一瞬のうちに交互に表示され、利用者にとっては残像効果によって全体として字幕付き映像が見えるのと同じように、インフォメーション映像とコンテンツ映像が重なって見えるため、利用者にとってはインフォメーション映像がコンテンツ映像とダブって見えたりちらついたりして見えづらくなってしまう。そこで、一つの方法として、コンテンツの映像とインフォメーション映像が重なって見えることがないようにインフォメーション映像だけを表示させることが考えられる。このようにしても、通例利用者がインフォメーション映像を見ている間はコンテンツの映像に対しては関心が向いていない蓋然性が高いことから、その間はコンテンツ映像が全く見えない状態であっても支障はないと考えられる。しかしその一方で、たとえ見づらくても、コンテンツの映像も絶えず表示させながらインフォメーション映像を見たいと言った場合も考えられる、どちらの方法を選択すべきかは利用者のニーズ次第である。そこで、本実施例では、どちらのニーズへの対応も可能にするため、実施例１、２で説明したような構成に従ってインフォメーション映像などのコンテンツ映像とは異なる映像をコンテンツの映像に重ねて表示する方法のほかに、コンテンツの映像とこの異なる映像が重ならないように表示する方法も可能にするための構成を備えたことを特徴とするものである。
【００５４】
（映像取得部）
映像取得部は、複数の眼鏡の利用者の中で少なくとも一部の異なる映像を表示する場合に、その映像を取得するように構成されている。なお、映像取得部は、複数の眼鏡の利用者の中で少なくとも一部の異なる映像を表示する場合に、別途備える判断手段がどの制御・再生手段を利用するかの判断を行うための判断用映像としてその映像を取得するように構成されていてもよい（かかる構成の映像取得部を便宜上「判断用映像取得部」と呼ぶ。図１１の例でも映像取得部がかかる判断用映像取得部１１５０である例が示されている）。この場合本実施例の３Ｄ映像表示装置は、かかる判断手段（判断部）を有するとともに、取得した判断用映像に応じて第一の眼鏡と第二の眼鏡の開閉タイミングの制御を切り替えるための制御ルールを保持する手段（制御ルール保持部）を有する。図１１の例でも３Ｄ映像表示装置が判断部１１７０、制御ルール保持部１１６０を有する例が示されている。以下の実施例においても、３Ｄ映像表示装置が以上のような判断用映像取得部、判断部、制御ルール保持部を有する例で説明する。
「異なる映像」とは、複数の眼鏡の利用者のうち一部の者にだけ視聴させる映像であって、表示中のコンテンツの内容からは独立した情報を示す映像をいう。その代表例は上述のインフォメーション映像である。異なる映像をコンテンツ映像と重ねて表示させるか重ならないように表示させるかの判断は、判断部が行うが、判断用映像取得部は、その判断の前提として、「異なる映像」を取得する。
【００５５】
（制御ルール保持部）
「制御ルール保持部」は、制御ルールを保持するように構成される。「制御ルール」とは、取得した映像に応じて第一の眼鏡と第二の眼鏡の開閉タイミングの制御を切り替えるためのルールである。切替え対象となる制御は、一つは、第一の眼鏡のシャッター開タイミングの複数回に１回の割合で第二の眼鏡では閉タイミングとする制御であり、もう一つは、いずれかの眼鏡の左目用又は右目用のシャッター開タイミングが他のいずれかの眼鏡の左目用又は右目用のシャッター開タイミングと常に重ならないようにする制御である。前者の制御はシャッタータイミング制御部が行う制御であり、その具体的構成については実施例１で説明したとおりである。本実施例では前者の制御と後者の制御を切り替えて行えるようにするためにかかる制御ルールを保持していることに特徴がある。切替えを行うための構成については後述する。
【００５６】
（第二制御部）
「第二制御部」は、上に述べた後者の制御、即ちいずれかの眼鏡の左目用又は右目用のシャッター開タイミングが他のいずれかの眼鏡の左目用又は右目用のシャッター開タイミングと重ならないようにする制御を行うように構成されている。以下、かかる制御の詳細について、第一の眼鏡の左目用又は右目用のシャッター開タイミングが第二の眼鏡の左目用又は右目用のシャッター開タイミングと常に重ならないようにする制御する例で、図を用いて説明する。
【００５７】
図１２は、本実施例における第一の眼鏡と第二の眼鏡の開閉タイミング及びフレームの再生要領の一例を示す図である。このうち、（ａ）は、シャッタータイミング制御部が制御を行う場合の一例であって、前述の１／３タイミング制御手段によって制御がなされている例である。実施例１について説明した前出の図４と同様に横軸（ｔ）は時間経過を示す。本図（ａ）における第一の眼鏡と第二の眼鏡の開閉タイミング及びフレームの再生要領は実施例１で図４を用いて説明したところと同様であるが、本図の例では、第一の眼鏡を利用している視聴者にはＥＰＧ映像を見せ、第二の眼鏡を利用している視聴者にはＥＰＧ映像を見せずにコンテンツ映像だけを見せるようにするための制御を行う場合を示している。そこで、第一の眼鏡において、ｔ３のタイミングで左目用シャッターが開タイミングとなるとき、及びｔ６のタイミングで右目用シャッターが開タイミングとなるときに表示される映像は、ＥＰＧ映像である。この場合、第一の眼鏡の左目用シャッターはｔ１、ｔ５のタイミングでも開となり、第一の眼鏡の右目用シャッターはｔ２、ｔ４のタイミングでも開となり、このときコンテンツ映像が表示されるので、第一の眼鏡の利用者にはコンテンツ映像とＥＰＧ映像が重なって見えることになる。この点が次に（ｂ）で述べる第二制御部による制御の場合とは異なることになり、利用者にとっては見えづらいと感じる可能性があるわけである。ただし、画面の明るさは、第一の眼鏡では５０％、第二の眼鏡でも３３％を実現でき、実施例１で説明した従来技術に比べた輝度の向上はそのまま維持される。
【００５８】
図１２（ｂ）は、第二制御部が制御を行う場合の一例である。本図も、第一の眼鏡を利用している視聴者にはＥＰＧ映像を見せ、第二の眼鏡を利用している視聴者にはＥＰＧ映像を見せずにコンテンツ映像だけを見せるようにするための制御を行う場合を示している。まず第一の眼鏡では、左目用シャッターはｔ３、ｔ７のタイミングでは開タイミングとなり、その余のタイミングでは閉タイミングとなる。開タイミングではＥＰＧ映像が表示される。同様に右目用シャッターはｔ４、ｔ８のタイミングでは開タイミングとなり、その余のタイミングでは閉タイミングとなり、開タイミングではＥＰＧ映像が表示される。一方、第二の眼鏡では、左目用シャッターはｔ１、ｔ５のタイミングでは開タイミングとなり、その余のタイミングでは閉タイミングとなる。開タイミングではコンテンツ映像が表示される。同様に右目用シャッターはｔ２、ｔ６のタイミングでは開タイミングとなり、その余のタイミングでは閉タイミングとなり、開タイミングではコンテンツ映像が表示される。つまり、この例では、第一の眼鏡の左目用又は右目用のシャッター開タイミング（ｔ３、ｔ４、ｔ７、ｔ８）は第二の眼鏡の左目用又は右目用のシャッター開タイミング（ｔ１、ｔ２、ｔ５、ｔ６）とは全く重なることがない。即ち、この例における第一の眼鏡を「いずれかの眼鏡」、第二の眼鏡を「他のいずれかの眼鏡」とすると、まさに「いずれかの眼鏡の左目用又は右目用のシャッター開タイミングが他のいずれかの眼鏡の左目用又は右目用のシャッター開タイミングと常に重ならないようにする制御」がなされていることになる。
【００５９】
かかる制御を行うことで、第一の眼鏡の利用者にはＥＰＧ映像だけを見せ、コンテンツ映像は全く見せないようにすることができ、一方第二の眼鏡の利用者にはコンテンツ映像だけを見せ、ＥＰＧ映像は全く見せないようにすることができるので、両映像が重なって見えづらいといった問題を回避することができる。ただし、輝度は２５％となり、（ａ）に示した制御の場合に比べれば低下する。
【００６０】
（第二再生部）
「第二再生部」は、前記重ならないように制御される眼鏡の利用者には前記異なる映像を再生するように構成されている。前記「重ならないように制御される眼鏡」とは本実施例では「他のいずれかの眼鏡の左目用又は右目用のシャッター開タイミングと常に重ならないように制御される眼鏡」を意味するので、上述の例では第一の眼鏡がこれに当たる。従って、上の例に即せば、第二再生部は第一の眼鏡の利用者には異なる映像であるＥＰＧ映像を再生するように構成されているということである。
【００６１】
（判断部）
「判断部」は、取得した映像と前記制御ルールとに応じて、前記シャッタータイミング制御部及び前記再生部を利用するか前記第二制御部及び前記第二再生部を利用するか判断するように構成されている。かかる判断の目的が異なる映像をコンテンツ映像と重ねて表示させるか重ならないように表示させるかを利用者の好みに基づくニーズに従って選択できるようにする点にあることは前述したとおりである。かかる判断は、例えば一人の利用者がリモコンのＥＰＧを表示させるためのキーなどを押下した場合に、当該押下をトリガーとしてその利用者がどのような制御を欲しているかを知るための構成を備えることで実現される。具体的には、まず制御を欲している利用者が誰であるか（どの眼鏡を装着している利用者か）を特定した上で、その利用者が欲する制御方法がいずれであるかを判断する。当該判断は例えば予め保持される判断ルールに従って行われる。判断ルールの一例としては、通例はコンテンツ映像が異なる映像と重ならない制御（第二制御部による制御）が好まれる蓋然性が高いことから、制御を欲している利用者が誰であるかを特定するだけで、直ちにその利用者が装着する眼鏡に対して第二制御部による制御を行うように判断するといったルールなどが考えられる。そのための具体的な構成としては、例えばリモコンに内蔵した距離センサーを用いてリモコンと視聴者の装着する眼鏡との距離を計測し、当該距離の最も短い眼鏡（即ち、リモコンを操作した利用者が装着していると考えられる眼鏡）を第一の眼鏡とし、それ以外の眼鏡を第二の眼鏡として第二制御部による制御を行うようにしてもよい。あるいは、シャッタータイミング制御部、第二制御部のいずれによる制御を行うかを利用者がその都度選べるようにするため、リモコンキー毎に異なる制御方法を関連付けておき（例えばＥＰＧを表示させるキーとして「コンテンツ映像に重ねて表示するためのキー」と「コンテンツ映像に重ねずに表示するためのキー」の二種類のキーをリモコンに備えておき）、押下されたキーに関連付けられた制御方法を選択するという判断ルールに従って判断するようにしてもよい。
【００６２】
（選択部）
「選択部」は、利用される制御部と再生部を選択するように構成されている。具体的には、判断部での判断結果が、シャッタータイミング制御部及び再生部を利用するとの判断結果であった場合には、シャッタータイミング制御部と再生部を選択し、判断部での判断結果が、第二制御部及び第二再生部を利用するとの判断結果であった場合には、当該判断部での判断結果に従って第二制御部と第二再生部を選択するように構成される。
【００６３】
（ハードウェア構成）
次に、本実施例の３Ｄ映像表示装置のハードウェア構成について説明する。
図１３は、本実施例の３Ｄ映像表示装置のハードウェア構成の一例を示す概略図である。本実施例の３Ｄ映像表示装置のハードウェア構成は、図７で示した実施例１の３Ｄ映像表示装置のハードウェア構成と基本的に同様である。ただし、本実施例の３Ｄ映像表示装置の判断用映像取得部と、第二制御部と、第二再生部と、選択部は、記憶装置１３０１と、メインメモリ１３０２と、ＣＰＵ１３０３と、Ｉ／Ｏ１３０４とから構成される。また、本実施例の３Ｄ映像表示装置の制御ルール保持部と、判断部は、記憶装置と、メインメモリと、ＣＰＵとから構成される。これらはシステムバス１３０８などのデータ通信経路によって相互に接続され、情報の送受信や処理を行う。
【００６４】
次に、各部のハードウェア構成について説明する。ここでは、判断用映像取得部と、制御ルール保持部と、第二制御部と、第二再生部と、判断部と、選択部に係る構成について説明し、その余の各部に係る構成は実施例１又は２で説明したところと同様であるから説明を省略する。
まず、判断用映像取得部に係る構成について説明する。判断用映像取得プログラムは、複数の眼鏡の利用者の中で少なくとも一部の異なる映像を表示する場合にその映像（判断用映像）を取得する。具体的には、例えばコンテンツ映像を表示中にある利用者によってリモコンのＥＰＧを表示させるためのキーが押下された場合に、当該キー押下信号をトリガーとしてＥＰＧ映像を取得する。判断用映像取得プログラムは取得した判断用映像を判断プログラムに渡す。
次に、制御ルール保持プログラム及び判断プログラムに係る構成について説明する。制御ルール保持プログラムは予め記憶装置に制御ルールを保持している。そして、判断プログラムは、判断用映像を取得すると、制御ルールをメインメモリに読み出し、当該判断用映像と制御ルールに応じて、制御・再生の方法としてシャッタータイミング制御プログラム及び再生プログラムが実行する制御・再生を利用するか、それとも第二制御プログラム及び第二再生プログラムが実行する制御・再生を利用するかを判断する。この判断は例えば予め保持される判断ルールに従って行われる。判断ルールの具体的内容の一例は既に述べたとおりである。
【００６５】
次に、第二制御部及び第二再生部を利用すると判断された場合におけるこれら各部に係る構成について説明する。第二制御プログラムは、いずれかの眼鏡の左目用又は右目用のシャッター開タイミングが他のいずれかの眼鏡の左目用又は右目用のシャッター開タイミングと常に重ならないようにする制御を行う。このためには、制御対象となる眼鏡を特定する必要があるが、例えば前述のように、リモコンに内蔵された距離センサーを用いてリモコンから最も近い距離にある眼鏡をリモコンの押下信号に関連付けられた「異なる映像」、例えばＥＰＧ映像を表示させる第一の眼鏡とし、他の眼鏡をコンテンツ映像を表示させる第二の眼鏡とした上で、第一の眼鏡の左目用又は右目用のシャッター開タイミングと他の眼鏡の左目用又は右目用のシャッター開タイミングが常に重ならないようにシャッターの開閉を行うための制御命令を生成して、これに従ってＣＰＵにシャッターの開閉動作を実行させる。
また、第二再生プログラムは、第二制御プログラムの制御に従って再生を行う。再生の要領自体は実施例１で説明した再生プログラムが行う再生と同様である。
【００６６】
<処理の流れ>
図１４は、本実施例の３Ｄ映像表示装置における処理の流れの一例を示す図であり、異なる映像を表示するための処理の流れだけを取り出して示したものである。その余の処理の流れは実施例１において図８などを用いて説明したところと同様であるから図示を省略する。
まず、本実施例の３Ｄ映像表示装置は、例えば利用者によるリモコン押下などをトリガーとして異なる映像を受け付けたかどうか判断し（ステップＳ１４０１）、取得したとの判断結果が得られた場合には、続いて制御・再生方法として、シャッタータイミング制御部及び再生部を利用するか、それとも第二制御部及び第二再生部を利用するかの判断を行う（ステップＳ１４０２）。この判断のためのサブステップとして、例えば本実施例の３Ｄ映像表示装置は、リモコンに備えられた距離センサーを用いて当該異なる映像を表示すべき眼鏡を特定する処理を行う（図示は省略）。そして、当該判断の結果、シャッタータイミング制御部及び再生部を利用するとの判断結果が得られた場合は、これに従った制御・再生を行い（ステップＳ１４０３、Ｓ１４０４）、第二制御部及び第二再生部を利用するとの判断結果が得られた場合は、これに従った制御・再生を行う（ステップＳ１４０５、Ｓ１４０６）。
【００６７】
<効果>
本実施例の３Ｄ映像表示装置により、ＥＰＧなどのようにコンテンツ映像と重ねて表示すると見えづらいことが考えられる場合でも、重ねずに表示することが可能な方法による制御、再生を行うことが可能となる。
【図１】
2013146043.tif 000003
【図２】
2013146043.tif 000004
【図３】
2013146043.tif 000005
【図４】
2013146043.tif 000006
【図５】
2013146043.tif 000007
【図６】
2013146043.tif 000008
【図７】
2013146043.tif 000009
【図８】
2013146043.tif 000010
【図９】
2013146043.tif 000011
【図１０】
2013146043.tif 000012
【図１１】
2013146043.tif 000013
【図１２】
2013146043.tif 000014
【図１３】
2013146043.tif 000015
【図１４】
2013146043.tif 000016